【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
ａ）１つ以上の熱可塑性エラストマーと、
ｂ）ｂ１）水酸化マグネシウムと、
ｂ２）アルミニウム三水和物と、
ｂ３）メラミンシアヌレートと、
ｂ４）場合により、リン酸エステル難燃剤と、
を含む難燃剤混合物と、
を含む難燃性ポリマー組成物。
【請求項２】
請求項１に記載の難燃性ポリマー組成物を含む、成形された、押し出し成形された、又は形状化された物品、及び、繊維、又は、フィラメント。
【請求項３】
請求項１に記載の難燃性ポリマー組成物からなるコーティングを含む、ワイヤー、ケーブル、又は光学ケーブル。
【請求項４】
絶縁ワイヤー及び／又はケーブルを作製するための、請求項１に記載の難燃性ポリマー組成物の使用。
【手続補正２】
【補正対象書類名】明細書
【補正対象項目名】００７５
【補正方法】変更
【補正の内容】
【００７５】
本明細書に記載される難燃性ポリマー組成物は、射出成形、ブロー成形、射出ブロー成形、押し出し成形、熱成形、メルトキャスティング、真空成形、回転成形、カレンダー成形、スラッシュ成形、フィラメント押し出し成形、及び繊維紡糸などの、当業者に周知の方法を用いて、形状化されて物品を形成することができる。こうした物品としては、フィルム、繊維及びフィラメント、ワイヤー及びケーブルコーティング、太陽電池ケーブルコーティング、光ファイバーコーティング、チュービング及びパイプ、例えば、衣類又はカーペットに使用される、繊維及びフィラメントから製造された布地又は織物、屋根ふき材及びビルディング／建造物における通気性膜などのフィルム及び膜、車体パネル、エアバックドア、ダッシュボード、エンジンカバー、ロッカーパネル、又はエアフィルタカバーなどの動力車部品、洗濯機、乾燥機、冷蔵庫、及び加熱換気エアコン電化製品などの、家庭電化製品用の構成部品、電気／電子用途におけるコネクター、コンピューターなどの、電子デバイス用の構成部品、オフィス−、屋内−、及び屋外−家具用の構成部品、並びに履き物構成部品を挙げることができる。
本発明は、以下の発明を包含するものである。
１．ａ）１つ以上の熱可塑性エラストマーと、
ｂ）ｂ１）水酸化マグネシウムと、
ｂ２）アルミニウム三水和物と、
ｂ３）メラミンシアヌレートと、
ｂ４）場合により、リン酸エステル難燃剤と、
を含む難燃剤混合物と、
を含む難燃性ポリマー組成物。
２．前記１つ以上の熱可塑性エラストマーは、エステル結合を介して頭尾結合された多数の繰り返される長鎖エステル単位及び短鎖エステル単位を有するコポリエーテルエステルエラストマーであり、前記長鎖エステル単位は、式（Ａ）
【化１】
2017531711.tif 000001
によって表され、且つ、前記短鎖エステル単位は、式（Ｂ）
【化２】
2017531711.tif 000002
によって表され、式中、
Ｇは、約４００〜約６０００の数平均分子量を有するポリ（アルキレンオキシド）グリコールからの末端水酸基の除去の後に残る二価のラジカルであり、
Ｒは、約３００未満の分子量を有するジカルボン酸からのカルボキシル基の除去の後に残る二価のラジカルであり、且つ、
Ｄは、約２５０未満の分子量を有するジオールからの水酸基の除去の後に残る二価のラジカルである、１に記載の難燃性ポリマー組成物。
３．前記１つ以上の熱可塑性エラストマーは、（１）ポリ（テトラメチレン）オキシドグリコールと、（２）イソフタル酸、テレフタル酸、及びこれらの混合物からなる群から選択されるジカルボン酸と、（３）１，４−ブタンジオール、１，３−プロパンジオール、及びこれらの混合物からなる群から選択されるジオールと、を含むモノマーから調製されるコポリエーテルエステルエラストマーである、１〜２のいずれか一項に記載の難燃性ポリマー組成物。
４．前記１つ以上の熱可塑性エラストマーは、（１）ポリ（トリメチレン）オキシドグリコールと、（２）イソフタル酸、テレフタル酸、及びこれらの混合物からなる群から選択されるジカルボン酸と、（３）１，４−ブタンジオール、１，３−プロパンジオール、及びこれらの混合物からなる群から選択されるジオールと、を含むモノマーから調製されるコポリエーテルエステルエラストマーである、１〜３のいずれか一項に記載の難燃性ポリマー組成物。
５．前記１つ以上の熱可塑性エラストマーは、（１）エチレンオキシドキャップされたポリ（プロピレンオキシド）グリコールと、（２）イソフタル酸、テレフタル酸、及びこれらの混合物からなる群から選択されるジカルボン酸と、（３）１，４−ブタンジオール、１，３−プロパンジオール、及びこれらの混合物からなる群から選択されるジオールと、を含むモノマーから調製されるコポリエーテルエステルエラストマーである、１〜３のいずれか一つに記載の難燃性ポリマー組成物。
６．難燃剤ｂ１）〜ｂ４）の量は、前記難燃性ポリマー組成物の総重量に基づいて、約２０〜約５０重量パーセントである、１〜５のいずれか一つに記載の難燃性ポリマー組成物。
７．ｂ１）の量は、前記難燃性ポリマー組成物の総重量に基づいて、３０重量パーセント以下である、１〜６のいずれか一つに記載の難燃性ポリマー組成物。
８．ｂ２）の量は、前記難燃性ポリマー組成物の総重量に基づいて、３０重量パーセント以下である、１〜７のいずれか一つに記載の難燃性ポリマー組成物。
９．ｂ３）の量は、前記難燃性ポリマー組成物の総重量に基づいて、約１０〜約３０重量パーセントである、１〜８のいずれか一つに記載の難燃性ポリマー組成物。
１０．前記リン酸エステル難燃剤ｂ４）の量は、前記難燃性ポリマー組成物の総重量に基づいて、１５重量パーセント以下である、１〜９のいずれか一つに記載の難燃性ポリマー組成物。
１１．前記リン酸エステル難燃剤ｂ４）は、レゾルシノールビス（ジ−２，６−ジメチルフェニルリン酸）である、１〜１０のいずれか一つに記載の難燃性ポリマー組成物。
１２．前記難燃剤混合物ｂ）は、前記難燃性ポリマー組成物の総重量に基づいて、大体１〜３０重量パーセントの量で前記難燃性ポリマー組成物に存在する水酸化マグネシウムｂ１）と、前記難燃性ポリマー組成物の総重量に基づいて、大体１〜３０重量パーセントの量で前記難燃性ポリマー組成物に存在するアルミニウム三水和物ｂ２）と、前記難燃性ポリマー組成物の総重量に基づいて、大体１０〜３０重量パーセントの量で前記難燃性ポリマー組成物に存在するメラミンシアヌレートｂ３）と、前記難燃性ポリマー組成物の総重量に基づいて大体０〜１５重量パーセントの量で前記難燃性ポリマー組成物に存在するリン酸エステル難燃剤ｂ４）と、を含む、１〜１１のいずれか一つに記載の難燃性ポリマー組成物。
１３．ＡＳＴＭ  Ｅ６６２火炎モードに従って測定される、約３００以下の最大煙濃度Ｄｓ，ｍ、及び、約３００以下のＶＯＦ４を有する、１〜１２のいずれか一つに記載の難燃性ポリマー組成物。
１４．ＩＥＣ６１０３４に従って測定される、約６０％以上の最小光透過率を有する、１〜１３のいずれか一つに記載の難燃性ポリマー組成物。
１５．１〜１４のいずれか一つに列挙される難燃性ポリマー組成物を含む、成形された、押し出し成形された、又は形状化された物品、及び、繊維、又は、フィラメント。
１６．１〜１４のいずれか一つに列挙される難燃性ポリマー組成物からなるコーティングを含む、ワイヤー、ケーブル、又は光学ケーブル。
１７．絶縁ワイヤー及び／又はケーブルを作製するための、１又は１４のいずれか一つに記載の難燃性ポリマー組成物の使用。